(57)【要約】【課題】ごみや粗塵・虫などの捕集を確実に行なえ、清掃時に取り扱い易い換気装置を提供することを目的とする。【解決手段】天井壁２裏側に納められ、下面に室内側メンテ開口６を有し、本体外郭面に外気吸込み口５と外気吹出し口９を備え、給気風路を形成する本体内の外気吸込み口５近傍に固定手段を用いて、略凹形状のネットフィルター１０を、その凹形状部を上方に向けるとともに外気流入側に対向させて、斜め設置することにより、フィルターにごみや粗塵・虫などを溜め易く、取り外しの際にごみや粗塵・虫などを室内に落とすことなく清掃できるメンテナンス性が容易な換気装置を提供できる。【選択図】図１
2006292253.tif 000002
【特許請求の範囲】
【請求項１】
天井壁裏側に納められ、下面に室内側メンテ開口を有し、本体外郭面に外気吸込み口と外気吹出し口を備え、給気風路を形成する本体内の外気吸込み口近傍に固定手段を用いて、略凹形状のネットフィルターを、その凹形状部を上方に向けるとともに外気流入側に対向させて、斜め設置することを特徴とした換気装置。
【請求項２】
給気風路を樹脂発泡体で構成し、本体外郭を金属で構成したことを特徴とする請求項１記載の換気装置。
【請求項３】
外気吸込み口側の本体内壁面を、ネットフィルターの下部枠体と本体との嵌合面より、内側へ突出させることを特徴とした請求項１または２に記載の換気装置。
【請求項４】
ネットフィルターの枠体を樹脂成型し、ネットを溶着またはインサート成型することを特徴とする請求項１〜３のいずれかに記載の換気装置。
【請求項５】
ネットのメッシュ本数３０〜４０で開口率４０〜５０％を備えたことを特徴とする請求項１〜４のいずれかに記載の換気装置。
【請求項６】
本体天面側に引掛け部を備え、本体下部側に嵌合のつめ受け部を設けネットフィルターを配設することを特徴とした請求項１〜５のいずれかに記載の換気装置。
【請求項７】
本体外郭を構成する金属枠と一体にまたは間接的につながったつめ受け部を点検蓋で覆ったことを特徴とした請求項１〜６のいずれかに記載の換気装置。
【請求項８】
点検蓋の固定手段をつめ受け部から離れた部分に設けたことを特徴とする請求項１〜７のいずれかに記載の換気装置。
【発明の詳細な説明】
【技術分野】
【０００１】
本発明は、外気を室内に供給する換気装置に関するものである。
【背景技術】
【０００２】
従来の換気装置は、本体が天井点検口と一体となって、その点検口を開くとフィルターの着脱が可能なものが知られている（例えば、特許文献１参照）。
【０００３】
以下、その換気装置について図５を参照しながら説明する。
【０００４】
図５に示すように、換気装置１０１は、流入配管接続口１０２と流出配管接続口１０３と、本体部の内部に配置されて流入配管接続口１０２と流出配管接続口１０３が直接連通するのを阻止するように配置されるフィルター１０４と、本体部の下側に天井面１０５と同一面に開閉式に設けられる点検用扉１０６を備え、メンテナンス時、点検扉１０６を開いてフィルター１０４を着脱可能としていた。
【特許文献１】特開２００３−１７２０２１号公報
【発明の開示】
【発明が解決しようとする課題】
【０００５】
このような従来の換気装置では、メンテナンス時点検扉１０６を開くと、フィルター１０４を通過したごみおよび粗塵が落ちてくるという課題があった。
【０００６】
また、フィルター１０４取外し時、フィルター１０４に捕集されたほこりや粗塵・虫などが落ちてくるという課題があった。
【０００７】
また、冬期および夏期に外気が流入した場合、点検扉１０６と天井面１０５とのクリアランスに外気温度と室内温度による温度差が発生し、点検扉１０６および天井面１０５が結露するという課題があった。
【０００８】
本発明は、このような従来の課題を解決するものであり、圧力損失の変化が少なく、フィルターで捕集したほこりや粗塵・虫などを散乱することなくメンテナンスでき、フィルターの着脱が容易にできる換気装置を提供することを目的としている。
【０００９】
また、断熱性能に優れた換気装置を提供することを目的としている。
【課題を解決するための手段】
【００１０】
本発明の換気装置は上記目的を達成するために、天井壁裏側に納められ、下面に室内側メンテ開口を有し、本体外郭面に外気吸込み口と外気吹出し口を備え、給気風路を形成する本体内の外気吸込み口近傍に固定手段を用いて、略凹形状のネットフィルターを、その凹形状部を上方に向けるとともに外気流入側に対向させて、斜め設置することを特徴とするものである。
【００１１】
この手段により、フィルターにごみや粗塵・虫などを溜め易く、取り外しの際ごみや粗塵・虫などを室内に落とすことなく清掃できる換気装置が得られる。
【００１２】
また他の手段は、給気風路を樹脂発泡体で構成し、本体外郭を金属で構成したものである。
【００１３】
この手段により、断熱性に優れた換気装置が得られる。
【００１４】
また他の手段は、外気吸込み口側の本体内壁面を、ネットフィルターの下部本体枠と本体との嵌合面より、内側へ突出させることを特徴としたものである。
【００１５】
この手段により、メンテナンス性に優れた換気装置が得られる。
【００１６】
また他の手段は、ネットフィルターの枠体を樹脂成型し、ネットを溶着またはインサート成型する構成としたものである。
【００１７】
この手段により、断熱性に優れた換気装置が得られる。
【００１８】
また他の手段は、ネットのメッシュ本数３０〜４０で開口率４０〜５０％を備えた構成としたものである。
【００１９】
この手段により、通気抵抗を抑え、かつ確実に虫を捕集できる換気装置が得られる。
【００２０】
また他の手段は、本体天面側に引掛け部を備え、本体下部側に嵌合のつめ部を設けネットフィルターを配設する構成としたものである。
【００２１】
この手段により、メンテナンス性に優れた換気装置が得られる。
【００２２】
また他の手段は、本体外郭を構成する金属枠と一体にまたは間接的につながったつめ部のつめ受け部を点検蓋で覆った構成としたものである。
【００２３】
この手段により、断熱性に優れた換気装置が得られる。
【００２４】
また他の手段は、点検蓋の固定手段をつめ受け部から離れた部分に設けた構成としたものである。
【００２５】
この手段により、断熱性に優れた換気装置が得られる。
【発明の効果】
【００２６】
本発明によれば、フィルターにごみや粗塵・虫などを溜め易く、取り外しの際ごみや粗塵・虫などを室内に落とすことなく清掃できるという効果のある換気装置を提供できる。
【００２７】
また、フィルターの面積を大きく確保でき、通気抵抗を軽減するという効果のある換気装置を提供できる。
【００２８】
また、断熱性に優れた効果のある換気装置を提供することができる。
【００２９】
また、確実に虫を捕集できるという効果のある換気装置を提供することができる。
【００３０】
また、メンテナンス性に優れた効果のある換気装置を提供することができる。
【発明を実施するための最良の形態】
【００３１】
本発明の請求項１記載の換気装置は、天井壁裏側に納められ、天井壁裏側に納められ、下面に室内側メンテ開口を有し、本体外郭面に外気吸込み口と外気吹出し口を備え、給気風路を形成する本体内の外気吸込み口近傍に固定手段を用いて、略凹形状のネットフィルターを、その凹形状部を上方に向けるとともに外気流入側に対向させて、斜め設置したものであり、凹形状内側となる捕集部のネットにごみや粗塵・虫などを溜め易く、取り外しの際ごみや粗塵・虫などを室内に落とすことなく清掃でき、フィルターの面積を大きく確保でき、通気抵抗を軽減することができるという作用を有する。
【００３２】
また、請求項２記載の換気装置は、給気風路を樹脂発泡体で構成し、本体外郭を金属で構成したものであり、外気が通過する風路を樹脂発泡体で囲むことにより、搬送空気の温度条件による本体の結露などの不具合を回避できるという作用を有する。
【００３３】
また、請求項３記載の換気装置は、外気吸込み口側の本体内壁面を、ネットフィルターの下部本体枠と本体との嵌合面より、内側へ突出させる構成としたものであり、ネットフィルターと下部本体枠との嵌合面にごみや粗塵・虫など付着することがなく、本体よりネットフィルターを取り出してほこり等を廃棄するときに、捕集されている粗塵・虫等を室内にこぼしてしまうことなく容易に廃棄作業を行うことができるという作用を有する。
【００３４】
また、請求項４記載の換気装置は、ネットフィルターの枠体を樹脂成型し、ネットを溶着またはインサート成型する構成としたものであり、ネットフィルターの取付け部より本体外郭に熱伝達しにくいため、本体の結露などの不具合を回避できるという作用を有する。
【００３５】
また、請求項５記載の換気装置は、ネットのメッシュ本数３０〜４０で開口率４０〜５０％を備えた構成としたものであり、通気抵抗を抑え、かつ確実に虫を捕集できるという作用を有する。
【００３６】
また、請求項６記載の換気装置は、本体天面側に引掛け部を備え、本体下部側に嵌合のつめ部を設けネットフィルターを配設する構成としたものであり、メンテナンス性に優れ、ワンタッチでネットフィルターを着脱できるという作用を有する。
【００３７】
また、請求項７記載の換気装置は、本体外郭を構成する金属枠と一体にまたは間接的につながったつめ部のつめ受け部を点検蓋で覆った構成としたものであり、点検蓋で熱伝達部位を遮断することとなり、本体の結露などの不具合を回避できるという作用を有する。
【００３８】
また、請求項８記載の換気装置は、点検蓋の固定手段をつめ受け部から離れた部分に設けた構成としたものであり、熱伝達の影響を受けにくい箇所に固定手段を設けることとなり、本体の結露などの不具合を回避できるという作用を有する。
【００３９】
以下、本発明の実施の形態について図面を参照しながら説明する。
【００４０】
（実施の形態１）
図１〜図４に示すように、本発明の換気装置本体１は、建物内の天井壁２裏側に納められ、室外空気を、ダクトＡ３と接続されるダクト接続口４を有し、下面に室内側メンテ開口６を有した換気装置本体１側面に設けられた外気吸込み口５から導入し、換気装置本体１内部を通過させて、ダクトＢ７と接続されるダクト接続口８を有した換気装置本体１側面に設けられた外気吹出し口９から室内給気口（図示せず）に給気する。
【００４１】
また、外気吸込み口５より導入された室外空気には粗塵・虫などが混入しているが、給気風路を形成する換気装置本体１内部の外気吸込み口５近傍に設置された虫捕集部としてのネットフィルター１０により粗塵・虫などが捕集され、さらに微細な粉塵はネットフィルター１０の下流側に隣接して設けられる給気清浄フィルター１１により捕集され、清浄された後に室内へ供給される。
【００４２】
ネットフィルター１０は、樹脂成型した枠体１２とメッシュ本数３０〜４０／２．５４センチメートルで開口率４０〜５０％の微細なポリエチレン製のネット１３とを溶着またはインサート成型して構成され、設置時には換気装置本体１内部の天面側中央近傍に形成された凸または凹形状の引掛け部１４に当接され、外気吸込み口５の本体内壁面１５下部近傍の固定手段を用いて、枠体１２により所定の深さをもった凹形状のネットフィルター１０を、その凹形状部を上方に向けるとともに外気流入側に対向させて、斜め設置する構成とする。
【００４３】
さらに、ネットフィルター１０の着脱は、換気装置本体１内部の天面側中央近傍に形成された凸または凹形状の引掛け部１４に、ネットフィルター１０のフィルター先端部１６を合わせ、ネットフィルター１０に形成している１箇所のつめ部１７を外気吸込み口５の嵌合面１８に嵌めこみながら、外気吸込み口５の下部に接着または一体成型されたつめ受け部１９に装着する構成とする。
【００４４】
本体内壁面１５は、取付けられるネットフィルター１０のつめ部１７を有する下部本体枠２０との嵌合面１８より本体内部へ突出した構成とする。
【００４５】
外気吸込み口５下部のつめ受け部１９と外気吹出し口９下部に接着または一体成型されたつめ受け部１９を有さない接続枠２１は、外気吸込み口５と外気吹出し口９を有さない両側面下部に配置したねじ用の穴を備えた補助枠２２と連結するよう略鉛直上向き方向に固定ねじ２３にて締結されており、つめ受け部１９と接続枠２１は、換気装置本体１の下部端面に位置し、点検蓋２４により密閉されるためダクトより搬送される空気の流路より離れた位置に配設される。
【００４６】
補助枠２２は、本体外郭の周囲を覆う形状で、住宅構造体に取り付けるための取付フランジ２５を有した金属枠２６の外気吸込み口５と外気吹出し口９を有さない両側面内側にねじによって固定される。
【００４７】
点検蓋２４は、つめ受け部１９と接続枠２１にそれぞれ配設した複数個の固定金具２７を介して複数個の化粧ねじ２８により略鉛直上向き方向に固定される。
【００４８】
また、金属枠２６と間接的につながったつめ受け部１９に配設された固定金具２７は、ネットフィルター１０とつめ受け部１９の装着位置より離れた部分に設けられる。
【００４９】
室内側メンテ開口６は、点検蓋２４により密閉され、点検蓋２４および取付フランジ２５が天井壁より露出しないよう換気装置本体１の下部にルーバー２９を覆うように設ける。
【００５０】
外気吸込み口５、外気吹出し口９、点検蓋２４、本体枠３０は、発泡材などの断熱材料にて成形されている。
【００５１】
上記構成においては、ダクトＡ３とダクトＢ７と連通するように設けられる送風機（図示せず）を運転すると、室外空気をダクトＡ３と接続される外気吸込み口５から導入し、換気装置本体１内に通風して、内部のネットフィルター１０により粗塵・虫などが捕集され、さらに微細な粉塵はネットフィルター１０の下流側に隣接して設けられる給気清浄フィルター１１により捕集され清浄された後、ダクトＢ７と接続される外気吹出し口９から室内にきれいな空気が給気されることとなる。
【００５２】
このように本発明の換気装置によれば、ネットフィルター１０は、樹脂成型した枠体１２とメッシュ本数３０〜４０／２．５４センチメートルで開口率４０〜５０％の微細なポリエチレン製のネット１３とを溶着またはインサート成型して構成され、設置時には換気装置本体１内部の天面側中央近傍に形成された凸または凹形状の引掛け部１４に当接され、外気吸込み口５の本体内壁面１５下部近傍の固定手段を用いて、枠体１２により所定の深さをもった凹形状のネットフィルター１０を、その凹形状部を上方に向けるとともに外気流入側に対向させて、斜め設置されるので、ネットフィルター１０の面積を大きく確保でき、通気抵抗を軽減できる。また、樹脂成型した枠体１２とメッシュ本数３０〜４０／２．５４センチメートルで開口率４０〜５０％の微細なポリエチレン製のネット１３を使用することにより、微細な虫などを確実に捕集でき、枠体１２により所定の深さをもった凹形状であるため、虫などが大量に捕集されて溜まったとしても圧力損失が低下して換気性能が著しく低下するまでには至らない。また、樹脂成型した枠体１２とネット１３とを溶着またはインサート成型することにより、本体外郭に熱伝達しにくくし、搬送空気の温度条件による本体の結露などの不具合を回避できる。
【００５３】
また、ネットフィルター１０の着脱は、換気装置本体１内部の天面側中央近傍に形成された凸または凹形状の引掛け部１４に、ネットフィルター１０のフィルター先端部１６を合わせ、ネットフィルター１０に形成している１箇所のつめ部１７を外気吸込み口５の嵌合面１８に嵌めこみながら外気吸込み口５の下部に接着または一体成型されたつめ受け部１９に装着されるので、つめ部１７の１箇所で、ワンタッチでネットフィルター１０が着脱可能でメンテナンス性が容易になる。また、この嵌合面１８はネットフィルター１０を外気吸込み口５に配置するための連結機能を有するものであり、つめ部１７のみならず、磁石あるいはねじ、マジックテープ（登録商標）なども代用することができる。
【００５４】
また、本体内壁面１５は、取付けられるネットフィルター１０のつめ部１７を有する下部本体枠２０との嵌合面１８より本体内部へ突出したことにより、ネットフィルター１０と下部本体枠２０との嵌合面１８にごみや粗塵・虫など付着することがなく、本体よりネットフィルター１０を取り出してほこり等を廃棄するときに、捕集されている粗塵・虫等を室内にこぼしてしまうことなく容易に廃棄作業を行うことができる。
【００５５】
また、つめ受け部１９と接続枠２１は、換気装置本体１の下部端面に位置し、点検蓋２４により密閉されるためダクトより搬送される空気の流路より離れた位置するので、点検蓋２４で熱伝達部位を遮断することとなり本体の結露などの不具合を回避できる。
【００５６】
また、金属枠２６と間接的につながったつめ受け部１９に配設された固定金具２７は、ネットフィルター１０とつめ受け部１９の装着位置より離れた部分に位置するので、熱伝達の影響を受けにくい箇所に固定手段を設けることとなり、本体の結露などの不具合を回避できる。
【００５７】
また、外気吸込み口５、外気吹出し口９、点検蓋２４、本体枠３０は、発泡材などの断熱材料にて成形されるため、外気が通過する風路を樹脂発泡体で囲むことにより、搬送空気の温度条件による本体の結露などの不具合を回避できる。
【産業上の利用可能性】
【００５８】
本発明の換気装置は、圧力損失の変化が少なく優れたメンテナンス性を有し、フィルターを備えた給気清浄フィルターユニットやファンケーシングを備えた中間ダクトファン、熱交換気ユニット、天井埋め込み換気扇などの用途として有効である。
【図面の簡単な説明】
【００５９】
【図１】本発明の実施の形態１の換気装置の構成を示す斜視図
【図２】同換気装置のフィルターを取り付けた状態を示す一部破断側面図
【図３】同換気装置の設置状態を示す側面図
【図４】同換気装置の点検蓋を取り付けた状態を示す斜視図
【図５】従来の換気装置を示す側面図
【符号の説明】
【００６０】
２      天井壁
５      外気吸込み口
６      室内側メンテ開口
９      外気吹出し口
１０    ネットフィルター
１２    枠体
１３    ネット
１４    引掛け部
１５    本体内壁面
１８    嵌合面
１９    つめ受け部
２０    下部本体枠
２４    点検蓋
２６    金属枠
【図１】
2006292253.tif 000003
【図２】
2006292253.tif 000004
【図３】
2006292253.tif 000005
【図４】
2006292253.tif 000006
【図５】
2006292253.tif 000007